(57)【要約】【課題】階段に隣接して設けられる空間部の天井高を高くすることができるとともに、容積を大きくすることができる建物を提供する。【解決手段】一階（下階）と二階（上階）とを接続する階段１と、階段１と隣接して設けられ、階段１に対して開口が形成された空間部１０と、を備え、二階の床板７は、空間部１０の天井板を兼ねている。二階の床面の高さＦ２は、空間部１０が設けられた部分と、空間部１０が設けられていない部分とで略等しい。【選択図】図１
2015196953.tif 000002
【特許請求の範囲】
【請求項１】
下階と上階とを接続する階段と、
前記階段と隣接して設けられ、該階段に面して開口が形成された空間部と、を備え、
前記上階の床板は、前記空間部の天井板を兼ねていることを特徴とする建物。
【請求項２】
請求項１に記載の建物において、
前記上階の床面高さは、前記空間部が設けられた部分と、該空間部が設けられていない部分とで略等しいことを特徴とする建物。
【請求項３】
請求項１または２に記載の建物において、
前記階段は踊り場を有し、該踊り場の床面は、前記空間部の床面と略同一面上に位置していることを特徴とする建物。
【請求項４】
請求項１乃至３のいずれか一項に記載の建物において、
前記下階は一階であり、前記空間部の下方には、土間床状に形成された土間空間部が設けられていることを特徴とする建物。
【発明の詳細な説明】
【技術分野】
【０００１】
本発明は建物に係り、特に、階段に隣接して収納室などの空間部を得られるようにしたものに関する。
【背景技術】
【０００２】
特許文献１には、各階の床の一部を上下方向に半階ずらすことによって４層、２．５階建てにした建物が示されている。そして、この建物内に設けられる各部屋は、階段室に設けられる階段の踊り場を介して出入りできるようにすることが開示されている。
【先行技術文献】
【特許文献】
【０００３】
【特許文献１】特許第５１４９６０９号公報
【発明の概要】
【発明が解決しようとする課題】
【０００４】
しかしながら、従来の建物のように、階段の踊り場を介して出入りできる空間部を形成したとき、その空間部の天井側には、上階の床部の下に天井板が設けられた所定厚さの天井部が形成されるため、その天井部の厚さだけ収納部の天井高が低くなるとともに、その天井部の体積分だけ、容積が減少するという欠点がった。このため、その空間部を収納室に利用とするときには、収納容積が小さくなるという不都合があった。
【０００５】
そこで、本発明は、上記欠点を解決するためになされたものであって、その目的は、階段に隣接して設けられる空間部の天井高を高くすることができるとともに容積を大きくすることができる建物を提供することにある。
【課題を解決するための手段】
【０００６】
本発明に係る建物は、上記目的を達成するために、下階と上階とを接続する階段と、その階段と隣接して設けられ、その階段に面して開口が形成された空間部とを備え、前記上階の床板は、前記空間部の天井板を兼ねていることを特徴としている。
上記建物は、上階の床板が空間部の天井を兼ねているため、つまり、空間部の天井が上階の床板を利用する直天井としているため、その空間部は、上階の床板の下面位置まで利用することができる。これにより、従来よりも空間部の天井高を高くすることができるとともに、容積を大きくすることができる。このため、空間部を収納室としたときには、収納容積の大きな収納室とすることができる。
また、空間部の天井高を高くするために二階の床板を従来よりも高い位置に設ける必要がないため、二階の階高を高くすることなく、空間部を任意の天井高に設定することができる。
【０００７】
本発明に係る建物は、上階の床面高さは空間部が設けられた部分と、その空間部が設けられていない部分とで略等しいことを特徴としている。
上記建物では、上階の床面は、空間部が設けられている部分と設けられていない部分とが略同じ高さとなるため、床面に段差が形成されている場合と比べて、建築を容易に行うことができる。
【０００８】
本発明に係る建物は、階段は踊り場を有し、その踊り場の床面は、空間部の床面と略同一面上に位置していることを特徴としている。
上記建物は、階段は踊り場の床面と空間部の床面とが略同一面上に位置しているため、踊り場から空間部への出入りを容易に行うことができる。
【０００９】
本発明に係る建物は、下階は１階であり、空間部の下方には、土間床状に形成された土間空間部が設けられていることを特徴としている。
上記建物では、土間空間部は、基礎部の上に床部が設けられている場合と比べて床面の高さが低いため、上方に空間部が配置されていても、所定の高さを確保することができる。これにより、例えば、その土間空間部をカーポートや作業場等として利用することができ、階段の外側空間の有効利用を図ることができる。
【発明の効果】
【００１０】
本発明に係る建物は、上階の床板が空間部の天井を兼ねているため、つまり、空間部の天井が上階の床板を利用する直天井としているため、その空間部は、上階の床板の下面位置まで利用することができる。これにより、従来よりも空間部の天井高を高くすることができるとともに、容積を大きくすることができる。このため、空間部を収納室としたときには、収納容積の大きな収納室とすることができる。
また、空間部の天井高を高くするために二階の床板を従来よりも高い位置に設ける必要がないため、二階の階高を高くすることなく、空間部を任意の天井高に設定することができる。
【図面の簡単な説明】
【００１１】
【図１】本発明の実施形態に係る建物を説明する図で図２のＸ−Ｘ線断面図である。
【図２】図１のＹ−Ｙ断面図である。
【発明を実施するための形態】
【００１２】
以下、本発明の実施形態について図面を用いて説明する。なお、本発明は、この実施形態により限定されるものではなく、また、下記の実施形態における構成要素には、当業者が置換可能かつ容易なもの、あるいは実質的に同一ものも含まれる。
【００１３】
図１は、本発明の実施形態に係る建物Ａに設けられている階段１、およびその階段１に隣接して設けられる空間部１０の箇所の断面図、図２は、図１のＸ−Ｘ線拡大断面図である。
【００１４】
本実施形態では、建物Ａは、住宅であり、一階に居室用の部屋Ｒ１および廊下ｒ（図２参照）がそれらの床面が同じ高さ（一階の床面の高さＦ１）となるように設けられ、二階に居室用の部屋Ｒ２１，Ｒ２２および廊下（不図示）がそれらの床面が同一の高さ（二階の床面の高さＦ２）となるように設けられ、一階の廊下ｒと二階の廊下とを接続する階段１が設けられている。なお、部屋Ｒ１、Ｒ２１、Ｒ２２はそれぞれ同じ階に設けられた廊下から出入りするように構成されている。
【００１５】
また、本実施形態では、二階の部屋Ｒ２１，Ｒ２２のうち、一方の部屋Ｒ２１の直下には、一階の部屋Ｒ１が設けられていて、他方の部屋Ｒ２２の直下には、後述する空間部１０が設けられて、この空間部１０の直下には、後述する土間空間部２０が設けられている。
なお、実際の建物Ａには、これら部屋Ｒ１，Ｒ２１，Ｒ２２や空間部１０、土間空間部２０以外に多くの部屋や設備等が設けられているが、本発明の説明に直接関係しないため省略されている。
【００１６】
階段１は、周知の二階建て住宅に設けられている階段と同様に、建物Ａの一階および二階を接続するものであって、枠状に組まれた胴差２の内側に配置される階段室３内に設けられている。この階段室３は、吹き抜け空間となっている。この階段１は、一階の床面の高さＦ１と二階の床面の高さＦ２と間の高さに、踊り場１ｃが設けられ、図２に示されるように、平面視においてコの字状に折れ曲がる階段で、この踊り場１ｃと、踊り場１ｃよりも下側の第１階段部１ａと、踊り場１ｃよりも上側の第２階段部１ｂと、を有している。
【００１７】
第１階段部１ａは、所定の幅および段数からなり、その下端が一階の床面の高さＦ１に配置され、その上端が踊り場１ｃの高さＦ３に配置されている。また、第２階段部１ｂは、所定の幅および段数からなり、その下端が踊り場１ｃの高さＦ３に配置され、その上端が二階の床面の高さＦ２に配置されている。
また、本実施形態では、第２階段部１ｂの下方に、階段下収納部４が形成されている。階段下収納部４は、床面の高さが一階の床面の高さＦ１と略同じとなるように設定されている。なお、階段下収納部４は、第１階段部１ａの下方の空間と連通していて、この第１階段部１ａの下方の空間も含まれるように構成されていてもよい。
【００１８】
空間部１０は、階段１の踊り場１ｃ高さＦ３に配された床板１１と、二階の部屋Ｒ２２の床板７との間に形成されていて、適宜必要な壁に囲まれた所定の容積を有する空間となっている。空間部１０は、二階の部屋Ｒ２２の床板７の下面が露出する直天井となっていて、二階の部屋Ｒ２２の床板７が天井板を兼ねている。なお、一階の部屋Ｒ１の天井は、二階の部屋Ｒ２１の床板５の下方に天井板などを有する所定の厚さの天井部８が設けられている。
また、空間部１０は、階段室３との間に壁３ａが設けられていて、この壁３ａには、階段室３と空間部１０とを連通させる開口３ｂが形成されていて、開口３ｂには開口３ｂを開閉可能な建具１５が設けられている。
なお、本実施形態では、開口３ｂは、下端部の高さが踊り場１ｃの高さＦ３と同じとなるように構成されている。
【００１９】
土間空間部２０は、外部からアクセス可能で、例えば、カーポートや作業スペースなどに使用される空間で、床面が一階の床面の高さＦ１よりも低い位置に設けられている。そして、土間空間部２０には、階段室３と隣接する外部収納室２１が設けられている。
外部収納室２１は、階段室３の床板６を外側（図１において左側）に所定距離伸ばすとともに、その伸ばされた先端位置と空間部１０の床板１１の下面との間に、開口２１ａおよびこの開口２１ａを開閉する建具２１ｂを有する壁２１ｃを設けて構成されている。したがって、この外部収納室２１は、例えば、カー用品等の道具等を収納するのに用いることができる。
なお、この外部収納室２１は、第１階段部１ａの下方の空間にアクセス可能に構成されていてもよい。
【００２０】
次に、上述した実施形態による建物Ａの作用・効果について図面を用いて説明する。
上述した実施形態による建物Ａによれば、空間部１０は、階段１の踊り場１ｃ高さＦ３に配された床板１１と、二階の部屋Ｒ２２の床板７との間に形成されていて、適宜必要な壁に囲まれた所定の容積を有する空間となっていて、天井板などが設けられておらず、二階の部屋Ｒ２２の床板７の下面が露出する直天井となっていることにより、空間部１０は、二階の床板７の下面位置まで利用することができる。これにより、従来よりも空間部１０の天井高を高くすることができるとともに、容積を大きくすることができる。このため、空間部１０を収納室としたときには、収納容積の大きな収納室とすることができる。
また、空間部１０の天井高を高くするために二階の床板７を従来よりも高い位置に設ける必要がないため、二階の床面の高さＦ２を高くすることなく、空間部１０を任意の高さに設定することができる。
【００２１】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
例えば、上述した建物Ａは２階建の建物としているが、３階以上の建物としてもよい。
また、上述した階段１は、第１階段部１ａ、第２階段部１ｂおよびこれら階段部１ａ，１ｂ間に踊り場１ｃを有する二段式としたが、踊り場１ｃを有しない階段としてもよい。この場合、任意の段から空間部１０へ出入りできるように構成されていればよい。しかし、上述したように、階段１が踊り場１ｃを有する二段式とすると、空間部１０への出入りが容易になる特長が得られる。
【００２２】
また、階段１の踊り場１ｃの高さＦ３は、階段１のほぼ中間位置としたが、空間部１０の下方に設けられる土間空間部２０の高さが低くて足りるときは、第１階段部１ａの長さを短くするとともに、第２階段部１ｂの長さを長くして踊り場１ｃの位置を低くし、空間部１０の収容容積をより大きくすることもできる。
また、上述した実施形態では、二階の部屋Ｒ２１，Ｒ２２および廊下の床面の高さは、全て同じ高さとしているが、異なる高さとしてもよい。例えば、空間部１０の上方にある部屋の床面の高さを高くして空間部１０の天井高をより高くしてもよい。
また、上述した実施形態では、土間空間部２０および外部収納室２１が設けられているが、これらの一方または両方が設けられていなくてもよい。
【符号の説明】
【００２３】
Ａ  建物
Ｒ１，Ｒ２，Ｒ３  部屋
Ｆ１  一階の床面の高さ
Ｆ２  二階の床面の高さ
Ｆ３  踊り場の高さ
１  階段
３  階段室
３ａ  壁
３ｂ  開口
５，６，７，１１  床板
８  天井部
１０  空間部
２０  土間空間部
【図１】
2015196953.tif 000003
【図２】
2015196953.tif 000004